(57)【要約】【課題】  止水リングの形状を変更して従来の欠点を改良したものであり、一本の止水リングで２本分と同等以上の止水信頼性が得られると共に、組立作業が簡単な構造を提供するもので、パイプ差込時の止水リングの脱落や捩れが低減する。【解決手段】  継手とパイプの内周表面又は外周表面間の止水に使用されるゴム様の止水リングであって、少なくとも前記止水リングにおけるパイプの表面に接する側が、パイプの差し込み方向に二山状の断面形状をなしている管継手の止水リング構造。１‥継手金具、２‥内筒、３‥止水リング収容周溝、５‥外筒、６‥パイプ保持リング、７‥カラ−、８‥スリ−ブ、２０‥８字状止水リング。【選択図】図９
2006153044.tif 000002
【特許請求の範囲】
【請求項１】
継手とパイプの内周表面又は外周表面間の止水に使用されるゴム様の止水リングであって、少なくとも前記止水リングにおけるパイプの表面に接する側が、パイプの差し込み方向に二山状の断面形状をなしていることを特徴とする管継手の止水リング構造。
【請求項２】
二山状の断面形状が略８字状の形状である請求項１記載の管継手の止水リング構造。
【発明の詳細な説明】
【技術分野】
【０００１】
本発明は主として管継手の止水に用いられる止水リング構造に関するものである。
【背景技術】
【０００２】
近年、集合住宅、戸建住宅の給水給湯用配管として樹脂パイプが用いられ、パイプ同士、パイプと各種機器、或いはパイプとヘッダとの連結に際していわゆるワンプッシュ継手が広く採用されている。
【０００３】
そして、かかるワンプッシュ継手における止水構造は、止水リングとして主に断面が円形をなすＯ−リングを用いるもので、継手の内壁とパイプ外壁又は内壁をシールする構造であった。図１はかかるワンプッシュ継手の代表例を示したものであり、継手の内壁とパイプ１０の内壁をシ−ルする構造の例である。即ち、継手金具１は内筒２を備えたものであり、この内筒２の外周に１条或いは２条（この例では２条）の止水リング収容周溝３が刻設され、ここに断面円形のＯ−リング４が嵌め込まれた例である。かかる継手金具１はこの他に内筒２を覆う外筒５とパイプ１０の外表面に食い込むパイプ保持リング６とカラ−７とスリ−ブ８とよりなっている。
【０００４】
パイプ１０は、スリ−ブ８より差し込まれ、内筒２とカラ−７との間に差し込まれてなるものであり、パイプの内壁がＯ−リング４にて止水されると共に、外壁にパイプ保持リング６が食い込むことによってパイプ１０の抜けが阻止されることとなる。
【０００５】
しかしながら、パイプ１０の差し込み作業は必ずしもスぺ−スの広い場所でのみ行われるものではなく、むしろスぺ−スの狭い作業のしにくい個所での差し込み作業となる場合が多い。このため、継手に対してパイプ１０がやや斜めに差し込まれてしまうようなケ−スがかなりあり、図２に示すようにパイプ１０の先端によってＯ−リング４が偏って押され、Ｏ−リング４が周溝３より飛び出した（矢印）ままパイプ１０が無理に差し込まれたり、或いはＯ−リング４が周溝３内より飛び出して脱落してしまうケ−スがある。このような場合、作業者はＯ−リング４の不具合にはほとんど気づくことがなく、このまま接続され、使用中に漏水が発生してしまうということがある。
【０００６】
このことは、パイプ１０の先端の切断の不具合の場合も同様であり、作業現場でのパイプ１０の切断はそれほど正確には行われないことから、パイプ１０の先端が斜めに切断されてしまい、これを継手内に差し込むケ−スがある。この場合にも前記のパイプ１０が斜めに差し込まれた場合と同様であり、Ｏ−リング４の不具合が発生し、漏水に至るケ−スがある。
【０００７】
これらの不具合の対策として、図例のようにＯ−リング４をダブルに組み込むことがあったが、Ｏ−リング４のはみ出しや脱落に対してはそれほど改良されたものであるとは言いにくく、しかも、組み立て工数は周溝を２本刻設することも含めれば多くの工数を必要とするものであった。
【発明の開示】
【発明が解決しようとする課題】
【０００８】
本発明は、上記の欠点を解決するためになされたものであり、止水リングの形状を変更してかかる欠点に対処したものである。
【課題を解決するための手段】
【０００９】
本発明の要旨は、継手とパイプの内周表面又は外周表面間の止水に使用されるゴム様の止水リングであって、少なくとも前記止水リングにおけるパイプの表面に接する側が、パイプの差し込み方向に二山状の断面形状をなしていることを特徴とする管継手の止水リング構造である。
【発明の効果】
【００１０】
本発明にあっては、一本の止水リングで２本分と同等以上の止水信頼性が得られると共に、組立作業が簡単な構造を提供するもので、パイプ差込時の止水リングの脱落や捩れが低減するという優れた効果を奏するものである。
【発明を実施するための最良の形態】
【００１１】
継手とパイプの止水リングとして、従来より数多くの形状のものがある。第１は断面がＤ型リングがあるが、上記のような管継手における止水リングにおける脱落現象の発生にはほとんど効果がない。又、フラット面側の面圧が低くなり長期的な圧縮力の確保が難しい点がある。
【００１２】
第２は断面竹の子状の止水リングであるが、差し込み方向に対して適切にその方向を設計することにより止水リングの脱落性は改善するが、竹の子状のひれの先端は剛性が低く止水効果が劣り、更に、高温高圧条件に対する性能や長期的な圧縮影響ひずみ性能（へたり性能）が低いもので、長期的には十分なものとはいえない。
【００１３】
第３に、断面Ｘ型リングがあるが、パイプの差込みに対しては角が立っており引っ掛かりを生じ易いこと、更に、断面形状の縦横比が同じであることから脱落を生じ易いものであった。
【００１４】
又、断面円形のＯ−リングや上記第１や第３のリングのように、リングの幅と高さがほぼ同一の断面形状では、パイプ差込時に捩じれが生じ易いものであった。
【００１５】
本発明はこれらの従来の技術の上に立ってなされたものであって、断面円形のＯ−リングの特徴と兼ねると共に、パイプの差し込みに対して周溝からの脱落を防止した構造としたものである。そして、構造上、パイプの差し込み方向に少なくともパイプと接する表面が二山状の断面形状をなすリングであり、例えば、ゴム自体、柔軟な樹脂（まとめてゴム様という）でリングが成り立っており、断面形状としては、略８字状の形状をなしているのがよい。
【実施例】
【００１６】
以下、図面をもって本発明を更に詳細に説明する。図３〜図８は本発明の止水リング２０の第１〜第６例を示す一部断面図である。図３〜図７はパイプの内周表面に止水リング２０が接触する際の例であり、図８はパイプの外周表面に接する例である。何れもパイプの差し込み方向に二山状の断面形状をなしている。
【００１７】
第１例（図３）は断面円形のリング２１、２１を連結して二山状としたもの、第２例（図４）は断面円形のリング２１と断面三角形状のリング２２を連結して二山状としたもの、第３例（図５）は断面正方形状のリング２３、２３を連結して二山状としたもの、第４例（図６）は断面三角形状のリング２２、２２を連結して二山状としたもの、第５例（図７）はパイプと接触する側の表面のみを二山状としたものである。更に第６例（図８）はパイプの外周表面に接する例で、継手の拡径部１ａに止水リング２０を挿入し、これをストッパ−部材９及びパイプ保持リング６を嵌め、これらをスリ−ブ８を螺着して支持したものである。尚、この例では、止水リング２０の内外を二山状としたが、場合によっては内側を二山状とするものでもよい。又、パイプ１０の先端には、図示はしないが通常金属製の短管が嵌め込まれるのが通例である。
【００１８】
図９は図３にて例示した二山状のリング２０を周溝内に嵌め込んだ例である。符号１、２、５〜８は図１にて説明したと同様でありここでは説明を省略する。さて、この例における周溝３は従来の周溝のほぼ２倍の幅であり、二山状のリング２０を嵌め込んだものである。従って、止水リング２０は周溝３内にてパイプの差し込み方向に二山状の断面形状をなしている。
【００１９】
このように、二山状のリング２０を周溝３内に嵌め込んだ場合には、パイプ１０を斜めに差し込んでしまった場合でも、リング２０の断面が従来の丸型ではなく、差し込み方向に長い形状であるため、周溝３内よりそのまま外れてしまうのではなく、周溝３内に留まって、止水機能が発揮されるものである。即ち、リング２０が偏って押された場合でも、表面が二山状となっているのでリングの変形に対して逃げの空間があり、これによってリングが周溝３内より飛び出してしまうようなことが阻止されるものである。
【００２０】
このように、本発明の止水リングは少なくともパイプとの接触面がパイプの差し込み方向に二山状の形状をなしている。このため、周溝３内からの脱落、はみ出しがなくなったものであり、止水リングが単に太くなったり、差し込み方向に長円形状や楕円形状となっているものではこのような特徴は発揮できないものである。
【産業上の利用可能性】
【００２１】
本発明は以上の通りであり、止水リングを二山状の形状したことによって効果を奏するものであり、従来の止水構造の不具合点を改良し、良好な施工信頼性、止水性を得ることができたものであって、特にワンタッチ継手構造でパイプ差込時に発生する止水リングの脱落や振れを防止したものであり、継手とパイプ間の止水のみならず、他の止水にも十分使用可能である。
【図面の簡単な説明】
【００２２】
【図１】図１は従来のワンプッシュ継手の代表例を示した図である。
【図２】図２は図１の継手にあって、パイプを偏って差し込んだ際の状態図である。
【図３】図３は本発明の止水リングの第１例を示す一部断面図である。
【図４】図４は本発明の止水リングの第２例を示す一部断面図である。
【図５】図５は本発明の止水リングの第３例を示す一部断面図である。
【図６】図６は本発明の止水リングの第４例を示す一部断面図である。
【図７】図７は本発明の止水リングの第５例を示す一部断面図である。
【図８】図８は本発明の止水リングの第６例を示す一部断面図である。
【図９】図９は図３にて示したリングを周溝内に嵌め込んだ例である。
【符号の説明】
【００２３】
１‥継手金具、
１ａ‥継手金具の拡径部、
２‥内筒、
３‥止水リング収容周溝、
４‥Ｏ−リング、
５‥外筒、
６‥パイプ保持リング、
７‥カラ−、
８‥スリ−ブ、
９‥ストッパ−部材、
１０‥パイプ、
２０‥本発明の止水リング、
２１‥断面円形山状部、
２２‥断面三角形山状部、
２３‥断面正方形山状部。
【図１】
2006153044.tif 000003
【図２】
2006153044.tif 000004
【図３】
2006153044.tif 000005
【図４】
2006153044.tif 000006
【図５】
2006153044.tif 000007
【図６】
2006153044.tif 000008
【図７】
2006153044.tif 000009
【図８】
2006153044.tif 000010
【図９】
2006153044.tif 000011